(57)【特許請求の範囲】
【請求項１】
経皮的に体内へ挿入されて先端の開口部から医療用粉体を圧力気体とともに体内へ噴射するバレル部を備えた医療用粉体の体内噴射装置において、
前記医療用粉体を収容する粉体収容部材が回転可能に設けられており、該粉体収容部材の回転に伴う遠心力によって該医療用粉体を該粉体収容部材から前記圧力気体の噴射通路へ供給して該圧力気体とともに噴射するようにしたことを特徴とする医療用粉体の体内噴射装置。
【請求項２】
前記噴射通路が前記粉体収容部材の外周に全周に亘って形成されている請求項１に記載の医療用粉体の体内噴射装置。
【請求項３】
前記粉体収容部材の内部が非回転体形状とされていると共に、該粉体収容部材の周壁部の最外周端部には前記噴射通路に連通する粉体供給孔が貫通形成されている請求項１または２に記載の医療用粉体の体内噴射装置。
【請求項４】
前記粉体収容部材の周壁部の壁内面が該粉体収容部材の回転中心軸に対して傾斜する案内壁面とされていると共に、該粉体収容部材の最外周端部には前記噴射通路に連通する粉体供給孔が貫通形成されている請求項１〜３の何れか一項に記載の医療用粉体の体内噴射装置。
【請求項５】
前記粉体収容部材を回転時に振動させる凝集阻止手段を備えている請求項１〜４の何れか一項に記載の医療用粉体の体内噴射装置。
【請求項６】
前記噴射通路には前記医療用粉体を分散させる撹拌羽根部が配されている請求項１〜５の何れか一項に記載の医療用粉体の体内噴射装置。
【請求項７】
前記噴射通路には該噴射通路を通路長方向で部分的に狭窄する狭窄羽根部が配されている請求項１〜６の何れか一項に記載の医療用粉体の体内噴射装置。
【請求項８】
前記狭窄羽根部が前記粉体収容部材に設けられていると共に、該狭窄羽根部が該粉体収容部材の回転によって前記噴射通路に噴射方向の気流を生じさせる送風羽根構造とされている請求項７に記載の医療用粉体の体内噴射装置。
【請求項９】
前記粉体収容部材の基端部には回転出力を発生する出力手段が取り付けられていると共に、該粉体収容部材の先端部が回転可能に支持されている請求項１〜８の何れか一項に記載の医療用粉体の体内噴射装置。
【請求項１０】
前記粉体収容部材が回転出力を発生する出力手段に着脱可能に取り付けられている請求項１〜９の何れか一項に記載の医療用粉体の体内噴射装置。
【請求項１１】
回転出力を発生する出力手段が前記粉体収容部材に取り付けられており、該出力手段に動力を供給する動力源が設けられていると共に、該動力源から該出力手段への動力の供給と停止を切り換える切替機構が設けられており、更にそれら出力手段と動力源と切替機構が一体的に着脱可能に設けられている請求項１〜１０の何れか一項に記載の医療用粉体の体内噴射装置。
【請求項１２】
前記圧力気体の供給と停止の切り換えに連動して前記粉体収容部材の回転と停止を切り換える連動機構を備えている請求項１〜１１の何れか一項に記載の医療用粉体の体内噴射装置。
【請求項１３】
前記粉体収容部材が、前記医療用粉体を収容する収容空所を備えるとともに該収容空所に該医療用粉体を供給する粉体貯蔵容器の開口が嵌合される粉体供給口を備える収容部材本体と、該収容部材本体に取り付けられて該粉体供給口を閉塞するキャップ部材とを、含んで構成されている請求項１〜１２の何れか一項に記載の医療用粉体の体内噴射装置。
【発明の詳細な説明】
【技術分野】
【０００１】
本発明は、外科手術などの際に用いられる医療用粉体の噴射装置に係り、特に癒着防止用や止血用などの粉体を組織へ噴射して処置するのに好適に用いられる医療用粉体の体内噴射装置に関する。
【背景技術】
【０００２】
手術や組織採取等の外科的措置により損傷を受けた臓器等の組織を放置すると、損傷部分が周囲の組織と癒着するおそれがある。このような組織の癒着は、卵管癒着による不妊症や腸管癒着による腸閉塞などを引き起す原因となることから、患者にとって大きな負担になり、再手術の際に癒着部分の剥離が必要となって臓器に新たな損傷を与えることにもなりかねない。そこで、従来から、損傷を受けた組織における癒着を防止するために、手術等に際して創傷部分を物理的に覆うフィルム状の癒着防止材が用いられている。
【０００３】
ところで、近年では、患者の負担を軽減できることから、手術などの外科的措置を内視鏡下で行う事例が増加している。
【０００４】
ところが、内視鏡下での手術等に際しては、従来から用いられているフィルム状の癒着防止材を使用することが困難であった。即ち、フィルム状の癒着防止材を小さく丸めてトロッカーを通じて体内に挿入した後、体内で癒着防止材を広げることにより損傷部分を覆うように貼付することも考えられるが、内視鏡下での作業が煩雑となって、フィルム状の癒着防止材に割れ等が発生し易く、損傷部分を覆う正しい位置へ癒着防止材を貼付することも難しいという問題があったのである。
【０００５】
なお、このような問題に鑑み、例えば特表２００７−５２９２８０号公報（特許文献１）に記載されているように、粉末状の癒着防止材を用い、体内に挿入したノズルから圧力気体と共に癒着防止材を体内の損傷部分に噴射して処置することが考えられる。しかし、治療部位によっては、ベッドに横たわった患者に対して天井面から手術等を行ったり、側面から手術等を行ったりする場合もあり、例えば特許文献１の散粉器では、当該散粉器の向きによっては、十分な量の癒着防止材が噴射されなくなったり、癒着防止材が不均一に噴射されたりして、意図する処置が行えなくなるおそれがあった。
【先行技術文献】
【特許文献】
【０００６】
【特許文献１】特表２００７−５２９２８０号公報
【発明の概要】
【発明が解決しようとする課題】
【０００７】
ここにおいて、本発明は上述の如き事情を背景として為されたものであって、その解決課題とするところは、癒着防止材などの医療用粉体を無菌的に導入された圧力気体と共に体内へ噴射するに際して、噴射方向に拘らず所定の噴射状態を安定して実現することのできる、新規な構造を備えた医療用粉体の体内噴射装置を提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。
【０００９】
すなわち、本発明の第１の態様は、経皮的に体内へ挿入されて先端の開口部から医療用粉体を圧力気体とともに体内へ噴射するバレル部を備えた医療用粉体の体内噴射装置において、前記医療用粉体を収容する粉体収容部材が回転可能に設けられており、該粉体収容部材の回転に伴う遠心力によって該医療用粉体を該粉体収容部材から前記圧力気体の噴射通路へ供給して該圧力気体とともに噴射するようにしたことを、特徴とする。
【００１０】
このような第１の態様に従う構造とされた医療用粉体の体内噴射装置によれば、医療用粉体を粉体収容部材の回転に伴う遠心力によって噴射通路へ供給することにより、装置の向きに対応する医療用粉体への重力作用方向の違いが、医療用粉体の噴射通路への供給に影響し難い。それ故、粉体収容部材内に収容された医療用粉体が噴射通路へ安定して供給されて、装置の向きに拘わらず目的とする医療用粉体の体内への噴射が実現される。
【００１１】
また、粉体収容部材の回転によって部材内部の医療用粉体が撹拌されることにより、噴射前に重力によって下部に集まった医療用粉体を分散させてから噴射通路へ供給できて、医療用粉体の凝集による噴射の不安定化も回避される。
【００１２】
本発明の第２の態様は、第１の態様に記載された医療用粉体の体内噴射装置において、前記噴射通路が前記粉体収容部材の外周に全周に亘って形成されているものである。
【００１３】
第２の態様によれば、医療用粉体が回転する粉体収容部材から噴射通路へ全周において供給されることから、医療用粉体が噴射通路に対して周上で分散して供給されて、安定した噴射が実現される。また、粉体供給孔が周上部分的に形成されている場合であっても、粉体収容部材の一回転周期内での周上の回転位置の相違によって医療用粉体の噴射状態が変化するのを防いで、略一定の噴射を実現することができる。
【００１４】
本発明の第３の態様は、第１又は第２の態様に記載された医療用粉体の体内噴射装置において、前記粉体収容部材の内部が非回転体形状とされていると共に、該粉体収容部材の周壁部の最外周端部には前記噴射通路に連通する粉体供給孔が貫通形成されているものである。
【００１５】
第３の態様によれば、粉体収容部材に収容された医療用粉体が、粉体収容部材の回転時に周上の最外周端部に案内されて集まり易くなることから、医療用粉体が当該最外周端部に形成された粉体供給孔を通じて噴射通路に供給されることで、医療用粉体が粉体収容部材内に残留し難くなる。
【００１６】
本発明の第４の態様は、第１〜第３の何れか１つの態様に記載された医療用粉体の体内噴射装置において、前記粉体収容部材の周壁部の壁内面が該粉体収容部材の回転中心軸に対して傾斜する案内壁面とされていると共に、該案内壁部の最外周端部には前記噴射通路に連通する粉体供給孔が貫通形成されているものである。
【００１７】
第４の態様によれば、粉体収容部材の回転に伴う遠心力の作用時に、医療用粉体が案内壁面によって最外周端部へ案内されることから、医療用粉体が粉体供給孔を軸方向に外れた部分に残留し難くなって、粉体収容部材に収容された必要量の医療用粉体が粉体供給孔を通じて噴射通路へ供給される。
【００１８】
本発明の第５の態様は、第１〜第４の何れか１つの態様に記載された医療用粉体の体内噴射装置において、前記粉体収容部材を回転時に振動させる凝集阻止手段を備えているものである。
【００１９】
第５の態様によれば、粉体収容部材を凝集阻止手段で振動させながら回転させることにより、医療用粉体が粉体収容部材内により残留し難くなって、粉体収容部材内の医療用粉体を安定的に噴射できる。
【００２０】
また、粉体収容部材内に収容された医療用粉体が振動によって分散されることから、医療用粉体の凝集が噴射前に解消されて、医療用粉体が分散して噴射される。
【００２１】
本発明の第６の態様は、第１〜第５の何れか１つの態様に記載された医療用粉体の体内噴射装置において、前記噴射通路には前記医療用粉体を分散させる撹拌羽根部が配されているものである。
【００２２】
第６の態様によれば、粉体収容部材内から噴射通路へ導入された医療用粉体が、噴射通路内を移動する際に、撹拌羽根部への直接的な接触や撹拌羽根部によって生じる乱流の作用などによって凝集を解消される。それ故、医療用粉体が均等に安定して噴射されて、医療用粉体の噴射による癒着防止などの処置がより効率的に実現される。
【００２３】
本発明の第７の態様は、第１〜第６の何れか１つの態様に記載された医療用粉体の体内噴射装置において、前記噴射通路には該噴射通路を通路長方向で部分的に狭窄する狭窄羽根部が配されているものである。
【００２４】
第７の態様によれば、狭窄羽根部による噴射通路の部分的な狭窄によって噴射通路を流れる圧力気体の流速が高められて、医療用粉体を効率的に噴射することが可能となる。しかも、圧力気体の流れが速くなることにより、医療用粉体の噴射通路内への残留も回避され易くなる。
【００２５】
本発明の第８の態様は、第７の態様に記載された医療用粉体の体内噴射装置において、前記狭窄羽根部が前記粉体収容部材に設けられていると共に、該狭窄羽根部が該粉体収容部材の回転によって前記噴射通路に噴射方向の気流を生じさせる送風羽根構造とされているものである。
【００２６】
第８の態様によれば、狭窄羽根部が送風羽根構造とされていることで、狭窄羽根部で噴射通路を部分的に狭窄することに加えて、狭窄羽根部が回転によって生み出す噴射方向の気流によって、圧力気体の流速を更に高めることができる。従って、医療用粉体を圧力気体によって噴射方向へより効率的に運んで噴射させることができると共に、医療用粉体の噴射通路内への残留もより回避され易くなる。
【００２７】
本発明の第９の態様は、第１〜第８の何れか１つの態様に記載された医療用粉体の体内噴射装置において、前記粉体収容部材の基端部には回転出力を発生する出力手段が取り付けられていると共に、該粉体収容部材の先端部が回転可能に支持されているものである。
【００２８】
第９の態様によれば、粉体収容部材が出力手段によって回転せしめられる際に、粉体収容部材における出力手段の取付け側と反対側が回転可能に支持されていることによって、粉体収容部材の回転作動がより安定する。また、たとえば粉体収容部材における先端側を多少の隙間をもって支持させることにより、回転時の粉体収容部材に回転軸のぶれによる微小な振動をあえて生じさせて、医療用粉体の凝集を防ぐこともでき得る。
【００２９】
本発明の第１０の態様は、第１〜第９の何れか１つの態様に記載された医療用粉体の体内噴射装置において、前記粉体収容部材が回転出力を発生する出力手段に着脱可能に取り付けられているものである。
【００３０】
第１０の態様によれば、噴射する医療用粉体の種類や体内の損傷部分の大きさなどに応じて、容積や形状、噴射通路へ単位時間当たりに供給される医療用粉体の量などが異なる複数種類から選択された粉体収容部材を、出力手段に取り付けて使用することができる。
【００３１】
さらに、使用済みの粉体収容部材を出力手段から取り外して廃棄し、粉体収容部材の再使用を避けるようにすれば、体内環境に接続される粉体収容部材を清潔に保つことができると共に、粉体収容部材内に残留する医療用粉体が再使用時に問題となることもない。しかも、粉体収容部材を出力手段から取り外して交換することにより、汚染や医療用粉体の残留などが問題になり難い出力手段は繰り返し使用することができて、コストの低減や資源の有効利用などを実現できる。
【００３２】
本発明の第１１の態様は、第１〜第１０の何れか１つの態様に記載された医療用粉体の体内噴射装置において、回転出力を発生する出力手段が前記粉体収容部材に取り付けられており、該出力手段に動力を供給する動力源が設けられていると共に、該動力源から該出力手段への動力の供給と停止を切り換える切替機構が設けられており、更にそれら出力手段と動力源と切替機構が一体的に着脱可能に設けられているものである。
【００３３】
第１１の態様によれば、噴射装置において出力手段と動力源と切替機構とを一体的に着脱可能とすることができる。これにより、手術の際に噴射装置の表面や粉体収容部材が血液などで汚染された場合においても、汚染された部分から出力手段と動力源と切替機構とを１つのユニットとして脱離させ、脱離させたユニットを再利用することができる。これにより、医療従事者が直接接触する噴射装置の表面などを清潔に保つことができると共に、汚染が問題になり難い出力手段と動力源と切替機構とは繰り返し使用することができて、コストの低減や資源の有効利用などを実現できる。
【００３４】
本発明の第１２の態様は、第１〜第１１の何れか１つの態様に記載された医療用粉体の体内噴射装置において、前記圧力気体の供給と停止の切り換えに連動して前記粉体収容部材の回転と停止を切り換える連動機構を備えているものである。
【００３５】
第１２の態様によれば、圧力気体の供給および停止と粉体収容部材の回転および停止とを、各別に操作して切り換える必要がなく、簡単な操作で医療用粉体を圧力気体とともに噴射させることができる。なお、圧力気体を供給せずに粉体収容部材を回転させると、医療用粉体が粉体収容部材内から噴射通路への出口部分に溜まってしまうおそれがあるが、圧力気体の供給と粉体収容部材の回転が連動して機能するようにすれば、かかる操作手順による不具合も生じ得ない。
【００３６】
本発明の第１３の態様は、第１〜第１２の何れか１つの態様に記載された医療用粉体の体内噴射装置において、前記粉体収容部材が、前記医療用粉体を収容する収容空所を備えるとともに該収容空所に該医療用粉体を供給する粉体貯蔵容器の開口が嵌合される粉体供給口を備える収容部材本体と、該収容部材本体に取り付けられて該粉体供給口を閉塞するキャップ部材とを、含んで構成されているものである。
【００３７】
第１３の態様によれば、粉体収容部材が収容部材本体とキャップ部材を組み合わせた構造を有しており、収容部材本体の収容空所へ粉体貯蔵容器から医療用粉体を入れた後で、収容部材本体にキャップ部材を取り付けて蓋をすることにより、医療用粉体を粉体収容部材内へ簡単に入れることができる。加えて、収容空所に連通する粉体供給口が粉体貯蔵容器を嵌合可能な構造とされていることにより、粉体貯蔵容器から収容空所へ医療用粉体を入れる際に、医療用粉体をこぼすことなく入れることができる。
【発明の効果】
【００３８】
本発明によれば、医療用粉体を収容する粉体収容部材が回転可能とされていることにより、粉体収容部材の回転に伴う遠心力によって医療用粉体が粉体収容部材内から噴射通路へ供給される。これにより、医療用粉体の噴射通路への供給が噴射方向に拘わらず安定して、何れの噴射方向に対しても目的とする噴射が実現される。
【図面の簡単な説明】
【００３９】
【図１】本発明の第１の実施形態としての噴射装置を示す斜視図。
【図２】図１に示す噴射装置の右側面図。
【図３】図１に示す噴射装置を内部透視状態で示す右側面図。
【図４】図１に示す噴射装置の縦断面図であって、図５のＩＶ−ＩＶ断面図。
【図５】図４のＶ−Ｖ断面図。
【図６】図１に示す噴射装置を構成する収容部材本体の斜視図。
【図７】図６に示す収容部材本体を別角度で示す斜視図。
【図８】図６に示す収容部材本体の右側面図。
【図９】図６に示す収容部材本体の正面図。
【図１０】図９のＸ−Ｘ断面図。
【図１１】図１に示す噴射装置を構成する前部の右側面図。
【図１２】図１１に示す前部の斜視図。
【図１３】図１に示す噴射装置を構成する後部の右側面図。
【図１４】図１３に示す後部の斜視図。
【図１５】本発明の第２の実施形態としての噴射装置を示す縦断面図。
【図１６】図１５に示す噴射装置の斜視断面図。
【図１７】本発明の別の１実施形態としての噴射装置を示す縦断面図。
【図１８】本発明の第３の実施形態としての噴射装置を構成する収容部材本体を示す斜視図。
【図１９】図１８に示す収容部材本体を別の角度で示す斜視図。
【図２０】図１８に示す収容部材本体の右側面図。
【発明を実施するための形態】
【００４０】
以下、本発明の実施形態について、図面を参照しつつ説明する。
【００４１】
図１〜３には、本発明の第１の実施形態としての医療用粉体の体内噴射装置（以下、噴射装置とも言う）１０が示されている。この噴射装置１０は、全体として略ピストル形状とされており、グリップ部１２を把持しながら押圧部１４を押し込むことにより、バレル部１６の先端から医療用粉体を圧力気体とともに噴射するようになっている。なお、以下の説明において、原則として、前後方向とは軸方向となる図２中の左右方向を言うと共に、上下方向とは図２中の上下方向を言う。
【００４２】
より詳細には、噴射装置１０は、グリップ部１２と胴部１８からなる中空構造の本体ケース２０を備えており、本体ケース２０の前端に略横転中空円錐形状のカバー２２が着脱可能に取り付けられている。更に、小径とされたカバー２２の前端には、チューブ状のバレル部１６が取り付けられて、カバー２２内の空間に連通されている。
【００４３】
また、カバー２２の後部は略円筒形状とされており、その開口部には中間部材２４が取り付けられている。中間部材２４は、カバー２２とは逆向きの略中空円錐台形状とされており、前部には外周へ開口する凹溝形状のシール保持部２６が設けられている。このシール保持部２６には、円環状のゴム弾性体で形成されたシールリング２８が収容されており、シール保持部２６が略円筒形状とされたカバー２２の後部に差し入れられることにより、それらカバー２２と中間部材２４が流体密に組み付けられている。
【００４４】
また、カバー２２と中間部材２４の間には、粉体収容部材３０が配設されている。粉体収容部材３０は、収容部材本体３２にキャップ部材３４を取り付けた構造とされている。
【００４５】
収容部材本体３２は、図６〜９に示すように、前後方向の中間部分が前後軸方向視で略十字状の四方放射形状であって、非回転体形状とされており、周上９０°ごとに外周へ凸の中空突部３５が形成されている。また、十字形とされた収容部材本体３２の中間部分は、前後両側に行くに従って前端部分を構成する略小径円筒形状の粉体供給筒部３６と、後端部分を構成する略小径円柱形状の連結部３８とに収束する形状とされている。更に、収容部材本体３２の中間部分には、軸直角方向で広がるフランジ状の狭窄羽根部４０が中空突部３５の周方向間をつなぐように一体形成されており、狭窄羽根部４０による補強効果によって収容部材本体３２の形状の安定化などが図られている。更にまた、図９，１０に示すように、狭窄羽根部４０の周上の一部には、凝集阻止手段としての錘４２が取り付けられている。かかる錘４２によって収容部材本体３２の重心が後述する回転中心軸から外れており、回転時に周期的な振動を生じるようになっている。
【００４６】
さらに、収容部材本体３２は、十字形とされた前後中間部分が中空とされて、内部に後述する医療用粉体を収容する収容空所４４が形成されている。この収容空所４４は、最外周端部が周上の４方向に位置する略十字形の空間であって、粉体供給筒部３６の内孔４５を通じて前方へ開口している。ここでいう最外周端部とは、収容部材本体３２の回転中心軸から半径方向に最も離れた部分を意味する。本実施形態において、収容部材本体３２の周壁部４７は全体が略一定の厚さとされており、収容部材本体３２の内部、即ち内周面が中心軸まわりで非回転体形状とされている。また、収容部材本体３２における収容空所４４の周壁部４７の壁内面は、収容部材本体３２の回転中心軸に対して傾斜した案内壁面４６を有している。本実施形態では、収容空所４４の軸方向両側の壁部が、内面と外面の何れにおいても回転中心軸に対して傾斜している。なお、収容空所４４の壁部において、中空突部３５を構成する部分は、外周へ行くに従って狭幅となる傾斜形状とされている。
【００４７】
更にまた、収容部材本体３２における収容空所４４の周壁部４７には、中空突部３５の頂点である最外周端部に粉体供給孔４８が貫通形成されており、収容空所４４が粉体供給孔４８によって収容部材本体３２の外周側に設けられる噴射通路６０（後述）に連通されている。粉体供給孔４８は、小径の貫通孔であって、その直径は使用する医療用粉体の粒径などに応じて適宜に設定されるが、好適には０．１ｍｍ〜１．５ｍｍ程度とされる。本実施形態では、中空突部３５の最外周端部の内周面は、軸方向両側の案内壁面４６，４６の間で軸方向に対して略平行とされており、かかる非傾斜領域に粉体供給孔４８が形成されている。
【００４８】
さらに、収容部材本体３２には、複数の撹拌羽根部５０が一体形成されている。撹拌羽根部５０は、粉体供給筒部３６および連結部３８の外周面から突出する板状とされており、図６，７に示すように、粉体供給筒部３６および連結部３８から収容空所４４の壁部の最外周端に至る稜線上に設けられている。
【００４９】
キャップ部材３４は、前方に向けて開口する有底円筒形状の軸受部５２と、軸受部５２の開口端から外周へ広がって収容部材本体３２の粉体供給筒部３６の前端部（粉体供給口）を覆う取付部５４とを、一体で備えている。そして、キャップ部材３４は、軸受部５２が収容部材本体３２の粉体供給筒部３６に挿入されると共に、取付部５４が粉体供給筒部３６の前端部に嵌合されることにより、収容部材本体３２に取り付けられて、粉体供給口の開口である内孔４５の先端側を閉塞する。このように、収容部材本体３２にキャップ部材３４が取り付けられることにより、内部に収容空所４４を備えた粉体収容部材３０が構成される。
【００５０】
さらに、キャップ部材３４の軸受部５２には、支持軸５６の後部が嵌入されており、軸受部５２から前方へ突出した支持軸５６の前部が、カバー２２に固定された軸受リング５８に対して回転可能に挿入されて支持されている。これにより、粉体収容部材３０は、カバー２２に対して、支持軸５６の中心軸を略回転中心軸とする回転を許容されている。本実施形態では、軸受リング５８の内径が支持軸５６の外径よりも僅かに大きくされており、支持軸５６が軸受リング５８に隙間をもって挿入されている。
【００５１】
また、カバー２２および中間部材２４の内周面と粉体収容部材３０の外周面との間には、噴射通路６０が形成されており、噴射通路６０が前端でバレル部１６の内孔に連通されていると共に、後端が後述する流体流路６６に連通されている。本実施形態の噴射通路６０は、粉体収容部材３０の外周に全周に亘って連続して設けられており、前後に延びる筒状の空間とされている。更に、噴射通路６０は、粉体収容部材３０内の収容空所４４に対して粉体供給孔４８を通じて相互に連通されていると共に、粉体供給孔４８の開口部付近で狭窄羽根部４０によって部分的に狭窄されて流路断面積が小さくされている。なお、本実施形態では、中間部材２４の後端部が筒状とされて、噴射通路６０が後方へ開口していると共に、中間部材２４の後端部の外周面にねじ山が形成されている。また、収容部材本体３２の前部に設けられた撹拌羽根部５０は、粉体供給孔４８の開口部分よりも前方に設けられて、噴射通路６０の狭窄部分よりも前方側で流路断面積が大きくされた部分に配置されており、カバー２２に対して内周へ離れて配されていると共に、噴射通路６０内へ突出している。一方、収容部材本体３２の後部に設けられた撹拌羽根部５０は、粉体供給孔４８の開口部分よりも後方に設けられて、中間部材２４に対して内周へ離れて配されていると共に、噴射通路６０内へ突出している。
【００５２】
一方、本体ケース２０には、接続部材６２が取り付けられている。接続部材６２は、合成樹脂で形成された硬質の部材であって、前部が前方に向けて拡開する略円錐台形状とされていると共に、後部が小径の段付き筒形状とされている。更に、筒形状とされた接続部材６２の後部前端には、内周面に中間部材２４と螺合するねじ山が形成されている。また、接続部材６２は下方へ突出する中間ポート６４を備えており、接続部材６２の内部空間が中間ポート６４の内腔に連通されて流体流路６６の一部を構成している。
【００５３】
流体流路６６は、図示しない圧力気体の供給源と接続されて圧力気体が流動する流路であって、押圧部１４の内部空間を含んで構成されている。押圧部１４は、前方へ開口する略有底円筒形状を有しており、グリップ部１２の上端部に取り付けられて後方へ突出していると共に、後面を手指などで前方へ押すことによりグリップ部１２に対して前方へ移動するように取り付けられている。また、押圧部１４の開口部を塞ぐように開閉バルブ６８が配設されていると共に、開閉バルブ６８を押圧部１４との間で挟持するガイド部材７０が押圧部１４に固定されている。更に、押圧部１４の内部空間がチューブ７２を介してグリップ部１２の下端に設けられた接続ポート７４に連通されている。
【００５４】
さらに、ガイド部材７０には、ノズル７６の後部が挿入されている。ノズル７６は、硬質の合成樹脂で形成された筒状の部材であって、本体ケース２０によって支持されている。また、押圧部１４に外力が作用しない初期状態では、ノズル７６の後部がガイド部材７０に挿入されていると共に、ノズル７６が開閉バルブ６８に対して前方に離れており、開閉バルブ６８が遮断されている。そして、押圧部１４が前方へ押し込まれることにより、ノズル７６が開閉バルブ６８の切込みを貫通して押圧部１４の内部空間に連通されるようになっている。換言すれば、押圧部１４を操作することにより、開閉バルブ６８が開作動されて、流体流路６６が連通状態に切り替えられる。
【００５５】
なお、ノズル７６の中間部分にフランジ状のばね受を設けて、該ばね受と押圧部１４およびガイド部材７０との前後対向面間にコイルスプリングを配することにより、手指で前方へ押圧された押圧部１４を後方へ向けて付勢して、押圧の解除時に押圧部１４が速やかに初期位置に復帰するようにしても良い。
【００５６】
更にまた、ノズル７６の前端には、逆止弁７８が接続されている。逆止弁７８は、気体の流動を一方向でのみ許容するものであって、たとえばダイヤフラム型やボール型、ディスク型等の各種公知構造のチェックバルブが採用され得る。このような逆止弁７８が配されていることにより、後述する医療用粉体が気体とともに噴射通路６０から圧力気体の供給源（送風機）へ逆流するのを防止されるようになっている。なお、逆止弁７８に替えて或いは加えて、医療用粉体の通過を阻止する集塵フィルタを設けても良く、これによって、仮に後述する医療用粉体が噴射通路６０側から逆流しても、医療用粉体が送風機などに入り込むことがなく、送風機などの故障が回避される。
【００５７】
この逆止弁７８の前端が接続部材６２の中間ポート６４に管体などで接続されることにより、接続部材６２の内孔が図示しない送風機に接続可能とされている。
【００５８】
また、接続部材６２の後端部には、出力手段としての電動モータ８０が取り付けられている。電動モータ８０は、回転力を出力する出力軸８２が前方へ向けて突出するように配設されており、出力軸８２に外嵌された連結軸８４が接続部材６２に回転可能に挿通されている。更に、電動モータ８０に動力（電力）を供給する電池やバッテリーなどの動力源としての電源８５がグリップ部１２に収容されており、電動モータ８０に電気的に接続されている。
【００５９】
さらに、電動モータ８０に対する電源８５からの電力の供給とその停止が、切替機構としてのスイッチ８６によって制御されている。なお、本実施形態では、図示しない送風機による圧力気体の供給と停止が、押圧部１４の操作によって電動モータ８０のＯＮ／ＯＦＦを切り替えるスイッチ８６と略同時に切り替えられるようになっており、本実施形態の連動機構が構成されている。また、本実施形態では、電動モータ８０と電源８５とスイッチ８６が別々に独立して配されているが、これら電動モータ８０と電源８５とスイッチ８６をユニット化して、ユニット化された電動モータ８０と電源８５とスイッチ８６をグリップ部１２に対して一体的に着脱可能に設けても良い。ここでいうユニットとは、出力手段と動力源と切替機構とが一体的に構成されたものを意味する。即ち、特に限定されるものではないが、例えば出力手段としての電動モータ８０と動力源としての電源８５と切替機構としてのスイッチ８６を同一のハウジング内に配置し、ハウジングごとグリップ部１２に対して一体的に挿入および抜去できるようにしたものなどが挙げられる。これによれば、グリップ部１２を適宜に交換することによって容易に清潔を保ちながら、高価で且つ使用状態で外部に露出しない電動モータ８０と電源８５とスイッチ８６をグリップ部１２から取り出して繰り返し使用することもできる。
【００６０】
本実施形態に係る噴射装置１０は、カバー２２と中間部材２４と粉体収容部材３０とを備えるカートリッジ部９０（図１１，１２参照）と、本体ケース２０および接続部材６２とそれらに取り付けられる各部品とを備える把持操作部９２（図１３，１４参照）とが、中間部材２４と接続部材６２の螺着によって、着脱可能に取り付けられて構成されている。
【００６１】
また、カートリッジ部９０と把持操作部９２を連結する際に、粉体収容部材３０の後端に設けられた連結部３８が、電動モータ８０の出力軸８２に固定された連結軸８４に対して、軸方向で突き合されて着脱可能に連結される。即ち、連結部３８の後面には、図７，１２に示すような略Ｔ字形状の係合溝９４が形成されていると共に、連結軸８４の前面には、図１４に示すような対応する略Ｔ字形状の係合突起９６が形成されており、係合溝９４に係合突起９６が差し入れられることにより、連結部３８と連結軸８４が軸直角方向および周方向で相対的に位置決めされて非固着で連結されている。これにより、粉体収容部材３０は、前端（先端部）がカバー２２によって回転可能に支持されていると共に、後端（基端部）が電動モータ８０の出力軸８２によって支持されて回転駆動力が及ぼされるようになっている。
【００６２】
また、カートリッジ部９０の噴射通路６０と把持操作部９２の流体流路６６が相互に連通されており、開閉バルブ６８が開いた流体流路６６の連通状態において、図示しない送風機から圧送される圧力気体が、流体流路６６を通じて噴射通路６０に供給されるようになっている。これにより、送風機から供給される圧力気体を、噴射装置１０のバレル部１６の先端から噴射できるようになっている。
【００６３】
かくの如き構造とされた噴射装置１０は、たとえば体内に癒着防止材などの医療用粉体を噴射する際に用いられる。以下に、手術による損傷部分に医療用粉体を噴射する場合を例に挙げて、噴射装置１０の使用方法を説明する。
【００６４】
まず、使用前に収容部材本体３２からキャップ部材３４を取り外して内孔４５を粉体供給筒部３６の前端である粉体供給口において開放させた状態で、粉体供給筒部３６の粉体供給口に癒着防止材などの医療用粉体を収容したバイアルなど、図示しない粉体貯蔵容器を嵌め付けて、粉体貯蔵容器の開口を下向きにすることにより医療用粉体を収容空所４４に入れる。医療用粉体を入れ終えた後、粉体貯蔵容器を粉体供給筒部３６から取り外すと共に、粉体供給筒部３６にキャップ部材３４を取り付けて粉体供給口を含む内孔４５を閉塞する。以上により、医療用粉体が収容空所４４に収容される。
【００６５】
次に、粉体収容部材３０をカバー２２および中間部材２４に組み付けてカートリッジ部９０を構成すると共に、カートリッジ部９０を把持操作部９２に取り付けて噴射装置１０を構成する。
【００６６】
そして、バレル部１６を体内に挿入して、バレル部１６の先端を内視鏡下での手術による損傷部分などの噴霧対象部分に向けた後、たとえばグリップ部１２を掴んだ手の母指によって押圧部１４を前方へ押し込む。これにより、開閉バルブ６８がノズル７６によって押し広げられて、流体流路６６が連通状態に切り替えられると共に、送風機による圧力気体の供給と、電動モータ８０の回転出力とが、略同時に開始される。
【００６７】
ここにおいて、電動モータ８０によって発生する回転出力は、連結軸８４を介して粉体収容部材３０に及ぼされて、粉体収容部材３０が前後軸回りで回転せしめられる。これにより、収容空所４４に収容された図示しない医療用粉体には、粉体収容部材３０の回転に伴う遠心力が作用する。そして、最外周端部へ移動した医療用粉体は、粉体供給孔４８を通じて収容空所４４から外周へ排出されて、噴射通路６０内に供給される。本実施形態では、収容空所４４の壁内面が最外周端部に向けて傾斜する傾斜面で構成されていることから、遠心力が作用した医療用粉体は、収容空所４４の壁内面に案内されて粉体供給孔４８が開口する最外周端へ移動する。これにより、収容空所４４内の医療用粉体が収容空所４４内に留まることなく噴射通路６０へ供給されて、適切な量の医療用粉体を噴射することができる。
【００６８】
噴射通路６０内に供給された医療用粉体は、流体流路６６から噴射通路６０に送入される圧力気体によってバレル部１６の先端側へ運ばれて、バレル部１６の先端開口から体内へ圧力気体とともに噴射される。そして、たとえば医療用粉体が癒着防止材である場合には、手術による創傷部に吹き付けられて当該創傷部を覆うことにより、術後の癒着が物理的に防止される。
【００６９】
このような本実施形態に従う構造とされた医療用粉体の体内噴射装置１０によれば、医療用粉体を収容する粉体収容部材３０が電動モータ８０によって回転して、収容空所４４に収容された医療用粉体が、圧力気体が流動する噴射通路６０に対して、遠心力の作用によって供給されるようになっている。それ故、使用時の噴射装置１０の向き、換言すれば噴射装置１０内の医療用粉体に対する重力の作用方向に拘わらず、医療用粉体を収容空所４４から噴射通路６０へ安定して供給することができて、医療用粉体の目的とする噴射を実現することができる。
【００７０】
しかも、噴射通路６０は、粉体収容部材３０の外周側に全周に亘って連続的に形成されていることから、収容空所４４と噴射通路６０を繋ぐ粉体供給孔４８が、粉体収容部材３０の向きに関係なく常時連通状態とされる。従って、噴射通路６０が周上で部分的に設けられている場合に比して、粉体収容部材３０の回転に伴う医療用粉体の噴射通路６０への供給がより安定して実現される。
【００７１】
また、本実施形態において、粉体供給孔４８は、凝集した医療用粉体などが通過し得ない十分に小さな直径で形成されており、噴射通路６０には医療用粉体が分散して供給される。更に、粉体収容部材３０には凝集阻止手段としての錘４２が取り付けられており、重心が回転中心から外れた位置に設定されていることから、回転時に振動が生じて、医療用粉体の凝集が収容空所４４の壁内面に打ち当てられるなどして解消される。従って、粉体供給孔４８が目詰まりすることもなく、分散化された医療用粉体を噴射通路６０に対して周上で略一様に安定して供給することができる。特に本実施形態では、粉体収容部材３０の前端に設けられた支持軸５６が軸受リング５８の内径よりも小径とされていると共に、粉体収容部材３０の後端が連結軸８４に対して非固着で連結されていることから、粉体収容部材３０の重心位置のずれによる振動が有効に生じるようになっている。
【００７２】
さらに、噴射通路６０には収容部材本体３２の撹拌羽根部５０が突出しており、収容部材本体３２と共に回転する撹拌羽根部５０が噴射通路６０内の医療用粉体を撹拌する。これにより、医療用粉体が更に細かく分散化されて、より均質な噴射が実現される。また、本実施形態では、噴射通路６０が粉体供給孔４８の開口部付近で狭窄羽根部４０によって部分的に狭窄されていることから、当該部分においてベンチュリ効果による圧力気体の流速の増大が期待でき、収容空所４４から噴射通路６０への医療用粉体の効率的な移動や、噴射通路６０における医療用粉体の分散化の促進などが図られ得る。特に、ベンチュリ効果によって勢いよく前方へ運ばれた医療用粉体は、前方の広い空間でより効率的に分散するだけでなく、撹拌羽根部５０によって撹拌されることから、分散化がより一層効果的に実現される。なお、撹拌羽根部５０は、狭窄部分よりも前方に配されていることから、配設空間を十分に確保されており、優れた撹拌作用が発揮される。また、本実施形態では、狭窄羽根部４０が粉体収容部材３０に一体形成されているが、狭窄羽根部は粉体収容部材３０とは別体で形成されて後固着されていても良いし、カバー２２側に設けられていても良い。
【００７３】
また、本実施形態では、押圧部１４を前方へ押し込む操作により、電動モータ８０の出力と、送風機による圧力気体の供給と、開閉バルブ６８を開くことによる流体流路６６の連通とが、連動して生じるようにされている。従って、複数の操作を要することなく、噴射に必要な作動を一括してコントロールすることができて、容易且つ速やかに使用することができる。また、押圧部１４を初期位置に戻すことにより、電動モータ８０の出力停止と、送風機による圧力気体の供給停止と、開閉バルブ６８を閉じることによる流体流路６６の遮断とが、連動して生じることから、噴射終了時の操作も容易且つ速やかに行うことができる。なお、図中には示されていないが、押圧部１４の手指による押圧を解除することにより押圧部１４が初期位置に戻るように、少なくとも前方への押圧状態では付勢されていることが望ましく、それによって、押圧部１４の押圧とその解除という極めて簡単な操作によって、噴射の開始と停止を直感的に行うことが可能になる。
【００７４】
また、流体流路６６が逆流を阻止する逆止弁７８を含んで構成されていることから、噴射の停止後等に噴射通路６０内に残留した医療用粉体が、流体流路６６を逆流して圧力気体の供給源まで達するのを防ぐことができる。これにより、流体流路６６を通じて医療用粉体の侵入による送風機などの故障が回避されて、信頼性や耐久性の向上が図られる。
【００７５】
なお、本実施形態に係る噴射装置１０では、カートリッジ部９０が医療用粉体に直接触れると共に、患者の体内環境と接続される部分とされていると共に、後部が電動モータ８０や電源８５、スイッチ８６などの電気部品を備えた比較的に高価な部分とされている。そして、カートリッジ部９０と把持操作部９２が着脱可能に取り付けられていることから、使用後にカートリッジ部９０を把持操作部９２から取り外して廃棄すると共に、後部は新しいカートリッジ部９０を取り付けて再使用することもできる。これにより、使用後に医療用粉体の付着や体内環境への接続による汚染などが問題となるカートリッジ部９０は、常に新品と交換することで清潔を保つことができると共に、高価で且つ医療用粉体や体内環境による汚染が問題にならない後部を繰り返し使用することによって、コストや製造資源の削減が図られる。
【００７６】
また、使用する医療用粉体の種類や粒径、噴射する量、凝集のし易さなどを考慮して、粉体供給孔の直径や形成位置および形成数、噴射通路の構造や配置、収容空所の容積、錘などの振動発生手段の構造などが異なる複数種類のカートリッジ部から、適切なものを選択して採用することも可能となる。同様に、相互に異なる複数種類の把持操作部を準備しておいて、それら複数種類の把持操作部から適切なものを選択して採用しても良く、たとえば使用者の手の大きさに合わせてグリップ部のサイズを選択可能とすることなどが考えられる。また、たとえば、粉体収容部材を回転させる出力手段として電動モータに替えて空気圧によるものや人力によるものなどを備える把持操作部や、ピストル型のグリップ部ではなく回転中心軸（前後軸）の延長上に延びるグリップ部を備える把持操作部なども、何れも採用可能である。
【００７７】
図１５には、本発明の第２の実施形態としての医療用粉体の体内噴射装置１００が示されている。以下の説明において、第１の実施形態と実質的に同一の部材および部位については、図中に同一の符号を付すことにより説明を省略する。
【００７８】
より詳細には、噴射装置１００は、胴部１８に取り付けられる接続部材１０２を備えている。接続部材１０２は、前部が前方に向けて拡開するテーパ筒形状とされていると共に、後部が段付き筒形状とされて、後端部に電動モータ８０が取り付けられている。更に、接続部材１０２の前端部分には、全周に亘って連続する凹溝状のシール保持部１０４が一体形成されて外周へ開口しており、シール保持部１０４には環状のシールリング２８が配設されている。そして、接続部材１０２は、シール保持部１０４の壁部に突設された係止爪１０６が胴部１８の開口部に軸方向で係止されると共に、後部が胴部１８によって挟持されることにより、胴部１８に取り付けられている。
【００７９】
また、接続部材１０２とカバー２２の間には、粉体収容部材１０８が配設されている。粉体収容部材１０８は、収容部材本体１１０にキャップ部材１１２が取り付けられた構造を有している。収容部材本体１１０は、図１６に示すように、外周へ向けて凸の３つの中空突部１１４が周上１２０°ごとに形成された三方放射形状を有しており、それら中空突部１１４の先端に最外周端部が設定されて粉体供給孔４８が貫通形成されている。更に、本実施形態の収容部材本体１１０は、後端部に連結軸１１６が一体形成されており、連結軸１１６が電動モータ８０の出力軸８２に固定されている。なお、収容部材本体１１０は、狭窄羽根部４０に対して前後両側がそれぞれ放射形状とされて、周方向両側の壁内面が最外周端に向けて傾斜していると共に、最外周端から前後外方に向けて次第に回転中心軸側へ傾斜している。
【００８０】
キャップ部材１１２における取付部５４の後方には、収容部材本体１１０の外側を延びる撹拌羽根部１１８が一体形成されている。この撹拌羽根部１１８は、周方向に傾斜しながら前後に延びており、収容部材本体１１０とカバー２２の間に形成される噴射通路６０内に配置されている。また、本実施形態の撹拌羽根部１１８は、後端部分が略一定の曲率半径で周方向に延びており、後端面が狭窄羽根部４０の外周端部に前方から重ね合わされている。これにより、撹拌羽根部１１８は、狭窄羽根部４０とともに噴射通路６０を噴射方向で部分的に狭窄する狭窄羽根部を構成している。
【００８１】
このような本実施形態に従う構造とされた医療用粉体の体内噴射装置１００においても、第１の実施形態と同様に、医療用粉体に作用する遠心力によって、使用する向きに拘わらず安定した噴射が実現される。また、第１の実施形態に比べて、粉体収容部材１０８と電動モータ８０の連結構造が簡略化されており、部品点数の削減や製造の容易化が図られる。
【００８２】
また、本実施形態に示すように、噴射通路６０内で医療用粉体を撹拌して分散化する撹拌羽根部１１８は、キャップ部材１１２に設けられていても良く、撹拌羽根部５０が収容部材本体３２に設けられた第１の実施形態と略同じ効果が期待できる。もっとも、撹拌羽根部は、回転する粉体収容部材側に設けられることが望ましいが、噴射通路６０内に突出していれば、たとえばカバー２２側に設けられていても、医療用粉体の分散化が図られ得る。
【００８３】
なお、本実施形態に示す構造において、図１７に示すように、収容空所４４の容積が小さい収容部材本体１２０を採用することもできる。この場合にも、第１，第２の実施形態と同様の効果が発揮される。しかも、撹拌羽根部１１８が収容部材本体１２０ではなくキャップ部材１１２に設けられていることから、撹拌羽根部１１８や噴射通路６０の前半部分の形状の違いによる噴射特性の差が低減される。
【００８４】
図１８〜２０には、本発明の第３の実施形態としての医療用粉体の体内噴射装置を構成する収容部材本体１３０が示されている。収容部材本体１３０は、上下に二つの中空突部３５，３５を備えていると共に、前後中間部分に狭窄羽根部１３４を備えている。
【００８５】
より詳細には、狭窄羽根部１３４は、図１８〜２０に示すように、周上で放射状に配された複数枚の羽根１３６で構成されている。それら羽根１３６は、それぞれ噴射通路６０の噴射方向である前後方向に対して所定の角度で傾斜して配されており、狭窄羽根部１３４が粉体収容部材とともに回転することにより、前方へ向けて流れる気流を生じるようになっている。なお、本実施形態では、１つの羽根１３６だけに錘４２が設けられており、後述する電動モータ８０による粉体収容部材の回転時に、回転中心に対する重心位置のずれによって振動が生じるようになっている。
【００８６】
そして、収容部材本体１３０は、前端部に図示しないキャップ部材が取り付けられて粉体収容部材を構成し、前記第１，第２の実施形態と同様に、本体ケース２０に収容されて噴射通路６０を構成すると共に、収容部材本体１３０の後端に設けられた連結部１３８が電動モータ８０の出力軸８２に外挿状態で連結される。これにより、収容部材本体１３０を備える粉体収容部材は、電動モータ８０の回転駆動力によって前後中心軸周りで回転可能とされている。
【００８７】
そして、電動モータ８０の回転駆動力によって粉体収容部材が回転すると、第１，第２の実施形態と同様に、収容部材本体１３０の収容空所４４に収容された医療用粉体が粉体供給孔４８を通じて噴射通路６０に供給されて、噴射通路６０を流れる圧力気体によって医療用粉体が前方へ噴射されるようになっている。
【００８８】
さらに、粉体供給孔４８の後方近傍には、狭窄羽根部１３４が設けられており、噴射通路６０の通路断面積が狭窄羽根部１３４によって通路長さ方向の一部で部分的に小さくされている。これにより、ベンチュリ効果による圧力気体の流速の増大が図られており、粉体供給孔４８から噴射通路６０へ供給された医療用粉体が、勢いよく流れる圧力気体によって効率的に前方へ運ばれて噴射される。
【００８９】
しかも、本実施形態では、狭窄羽根部１３４が複数枚の羽根１３６を備えた構造とされており、収容部材本体１３０の回転によってファンの如く前方（噴射通路６０における噴射方向）への気流を生じる送風羽根構造を有している。従って、噴射通路６０を流れる圧力気体は、狭窄羽根部１３４の回転によって更に増速されることから、医療用粉体が噴射通路６０内に一層留まり難くなって、医療用粉体の全量を効率的に噴射することができる。
【００９０】
特に、送風羽根構造となるように形状を工夫した狭窄羽根部１３４が回転可能とされた収容部材本体に設けられているだけで、圧力気体を噴射通路６０に流す送風機などの性能を高めることなく、圧力気体の圧力を高めて医療用粉体の残留を防ぐことができることから、低コスト且つコンパクトな装置構成によって効果的な噴射を実現することができる。
【００９１】
以上、本発明の実施形態について詳述してきたが、本発明はその具体的な記載によって限定されない。例えば、第１の実施形態の構造において、カートリッジ部９０と把持操作部９２の接続方法は、例示したねじによる螺着に限定されない。具体的には、例えば、軸方向へ押し込んで嵌め込むことで、軸方向に機械的に係止されるようにしても良いし、圧入によって摩擦抵抗で連結されるようにしても良い。
【００９２】
また、収容部材本体の形状は、軸方向視で必ずしも放射形状である必要はなく、例えば、軸方向視で三角形や四角形などの多角形状も好適に採用され得る。更に、収容部材本体は、医療用粉体の収容空所から噴射通路への排出効率を考慮すると、前記のように周上で角を有する非回転体形状であることが望ましいが、軸方向視で円形の回転体形状も本発明において採用可能である。
【００９３】
更にまた、収容空所の壁内面は、粉体収容部材の回転中心軸に対して傾斜する案内壁面とされていることが望ましいが、回転中心軸に対して略平行の壁内面を有する収容空所も採用され得る。具体的には、例えば、収容空所は柱状の空間であっても良く、その場合には粉体供給孔を軸方向の複数箇所に設けたり、軸方向に所定の長さで延びるスリット状の粉体供給孔を採用したりすることにより、医療用粉体を収容空所から効率的に排出させることもできる。
【００９４】
また、粉体収容部材の回転時に振動を与える凝集阻止手段としては、別体の錘を取り付ける構造に限定されず、例えば、収容部材本体の形状によって重心位置を回転中心上から外れた位置に設定しても同様の効果を得ることができる。加えて、収容部材本体の外周面とカバーの内周面にそれぞれ突起を形成して、それら突起の当接によって振動が生じるようにしても良い。
【００９５】
また、粉体収容部材の回転および停止と、圧力気体の供給および停止と、開閉バルブの開閉作動とは、必ずしも１つの操作で連動して生じるものではなく、それぞれ別々の操作を要するようにしても良い。なお、たとえば、粉体収容部材を手動（人力）で回す場合などには、圧力気体の供給開始と開閉バルブの開作動とを行った後で、粉体収容部材に回転力を及ぼすことになる。
【００９６】
また、粉体供給孔４８の大きさや数、配置などは、特に限定されるものではなく、収容部材本体３２の形状などに応じて適宜に変更され得る。例えば、粉体供給孔４８は、収容空所４４の壁部の最外周端部に加えて又は替えて、最外周端部を外れた位置に設けることもできる。更に、粉体供給孔４８は、例えば、周方向に所定長さで又は全周に亘って連続して延びるスリットとして形成されていても良い。また、噴射通路６０は、粉体収容部材３０の外周側に全周に亘って形成されるものには限定されず、前後に延びる１つ乃至は複数の噴射通路が周上部分的に形成されていても良い。
【００９７】
また、押圧部１４の形状や位置、操作方法なども、あくまでも一例であって特に限定されない。具体的には、たとえば、ピストルの引き金状でグリップ部の前方に設けられていても良いし、外部に設けられたフットスイッチを足で踏むことによって作動するようにされていても良い。
【符号の説明】
【００９８】
１０，１００：医療用粉体の体内噴射装置、１４：押圧部（連動機構）、３０，１０８：粉体収容部材、３２，１１０，１２０，１３０：収容部材本体、３４，１１２：キャップ部材、３６：粉体供給筒部（粉体供給口）、４０，１３４：狭窄羽根部、４２：錘、４４：収容空所、４５：内孔（粉体供給口）、４６：案内壁面、４７：周壁部、４８：粉体供給孔、５０，１１８：撹拌羽根部、６０：噴射通路、８０：電動モータ（出力手段）、８５：電源（動力源）、８６：スイッチ（切替機構、連動機構）
【図１】
0006579489.tif 000002
【図２】
0006579489.tif 000003
【図３】
0006579489.tif 000004
【図４】
0006579489.tif 000005
【図５】
0006579489.tif 000006
【図６】
0006579489.tif 000007
【図７】
0006579489.tif 000008
【図８】
0006579489.tif 000009
【図９】
0006579489.tif 000010
【図１０】
0006579489.tif 000011
【図１１】
0006579489.tif 000012
【図１２】
0006579489.tif 000013
【図１３】
0006579489.tif 000014
【図１４】
0006579489.tif 000015
【図１５】
0006579489.tif 000016
【図１６】
0006579489.tif 000017
【図１７】
0006579489.tif 000018
【図１８】
0006579489.tif 000019
【図１９】
0006579489.tif 000020
【図２０】
0006579489.tif 000021